【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
一酸化炭素の酸化のための触媒組成物であって、
グラフェンまたはグラフェン酸化物分子であって、
構造：
【化１７】
2014505580.tif 000001
［式中、
Ｒ１、Ｒ２およびＲ３は、同じであるかまたは異なっており、それぞれが独立に、必要に応じて置換されている置換基であり、ここで、Ｒ１、Ｒ２およびＲ３の少なくとも１つは、一酸化炭素を二酸化炭素に酸化し得る触媒性部分を含み、かつ
Ｇは、前記グラフェンまたはグラフェン酸化物の炭素原子である］
を有する少なくとも１個の官能基を含む、グラフェンまたはグラフェン酸化物分子
を含む、触媒組成物。
【請求項２】
前記触媒性部分が金属を含む、請求項１に記載の触媒組成物。
【請求項３】
前記触媒性部分が、Ｐｄ、Ｆｅ、Ｃｅ、Ａｌ、ＣｕもしくはＴｉ、またはそれらの酸化物を含む、請求項１に記載の触媒組成物。
【請求項４】
前記触媒性部分が、Ｐｄナノクラスター、Ｆｅ２Ｏ３、ＦｅＯＯＨまたはＴｉＯＯＨを含む、請求項１に記載の触媒組成物。
【請求項５】
一酸化炭素の酸化のための方法であって、
一酸化炭素を含む試料を、グラフェンまたはグラフェン酸化物分子と接触させるステップを含み、前記グラフェンまたはグラフェン酸化物分子は、構造：
【化１８】
2014505580.tif 000002
［式中、
Ｒ１、Ｒ２およびＲ３は、同じであるかまたは異なっており、それぞれが独立に、水素または必要に応じて置換されている置換基であり、かつ
Ｇは、前記グラフェンまたはグラフェン酸化物の炭素原子である］
を有する少なくとも１個の官能基を含む、方法。
【請求項６】
前記官能基が、一酸化炭素を酸化し得る触媒性部分を含む、請求項５に記載の方法。
【請求項７】
前記触媒性部分が金属を含む、請求項６に記載の方法。
【請求項８】
前記触媒性部分が、Ｐｄ、Ｆｅ、Ｃｅ、Ａｌ、ＣｕもしくはＴｉ、またはそれらの酸化物を含む、請求項７に記載の方法。
【請求項９】
前記触媒性部分が、Ｐｄナノクラスター、Ｆｅ２Ｏ３、ＦｅＯＯＨまたはＴｉＯＯＨを含む、請求項８に記載の方法。
【請求項１０】
前記試料がタバコの煙を含む、請求項５に記載の方法。
【請求項１１】
前記グラフェンまたはグラフェン酸化物がタバコ中に配置されている、請求項５に記載の方法。
【請求項１２】
Ｒ１およびＲ２が、同じであるかまたは異なっており、それぞれが独立に、水素、アルキル、ヘテロアルキル、シクロアルキル、アルケニルまたはアリールであり、それらのうちのいずれかが必要に応じて置換されている、
請求項５に記載の方法。
【請求項１３】
Ｒ１およびＲ２がいずれも水素である、請求項１２に記載の方法。
【請求項１４】
Ｒ３が、水素、アルキル、アリール、アルケニル、シクロアルキル、ヘテロアルキル、ヘテロアリール、Ｎ（Ｒ４）２、ＳＲ４、Ｓｉ（Ｒ４）２、ＯＲ４またはＯＭであり、それらのうちのいずれかが必要に応じて置換されており、
Ｍが金属またはカチオン種であり、かつ
各Ｒ４が、独立に、必要に応じて置換されている置換基である、
請求項５に記載の方法。
【請求項１５】
Ｒ１、Ｒ２またはＲ３の少なくとも１つがハロアルキルである、請求項５に記載の方法。
【請求項１６】
Ｒ３がＯＲ４またはＮ（Ｒ４）２であり、かつ各Ｒ４が、独立に、必要に応じて置換されている置換基である、請求項５に記載の方法。
【請求項１７】
各Ｒ４が同じであるかまたは異なっており、それぞれが独立に、水素、アルキル、シクロアルキル、ハロアルキル、ヘテロアルキル、アリール、ヘテロアリールまたはＯＨであり、それらのうちのいずれかが必要に応じて置換されている、請求項５に記載の方法。
【請求項１８】
Ｒ４が、非置換もしくは置換アリールまたは非置換もしくは置換シクロアルキルで置換されているアルキルである、請求項１７に記載の方法。
【請求項１９】
Ｒ３が、Ｎ（ＣＨ３）２、ＮＨ−フェニル、ＮＨ−ビフェニル、ＮＨＣＨ２（Ｃ≡ＣＨ）、ＯＨ、ＯＭｅ、ＯＥｔ、ＯＭ［式中、Ｍは金属イオンである］、ＯＣＨ２（Ｃ≡ＣＨ）、ＯＣＨ２ＣＨ２（２−ブロモフェニル）、ＯＣＨ２（アダマンチル）またはＯＣＨ２Ｃ（４−クロロフェニル）３である、請求項１６に記載の方法。
【請求項２０】
Ｒ１およびＲ２がいずれも水素であり、かつ
Ｒ３がＯＨである、請求項１７に記載の方法。
【請求項２１】
Ｒ１およびＲ２がいずれも水素であり、かつ
Ｒ３がＯＭｅまたはＯＥｔである、請求項５に記載の方法。
【請求項２２】
前記グラフェンまたはグラフェン酸化物の官能基の数と炭素原子の数との比が、少なくとも約１対５０である、請求項５に記載の方法。
【請求項２３】
前記官能基が金属イオンと結合し得る、請求項５に記載の方法。
【請求項２４】
前記官能基が、正または負に帯電した基を含む、請求項５に記載の方法。
【請求項２５】
前記官能基が、電気化学的に活性な種を含む、請求項５に記載の方法。
【請求項２６】
前記電気化学的に活性な種が、伝導性ポリマー、金属、半金属または半導体である、請求項２５に記載の方法。
【請求項２７】
前記電気化学的に活性な種がアミドを含む、請求項２５に記載の方法。
【請求項２８】
前記官能基が一酸化炭素を酸化し得る、請求項５に記載の方法。
【請求項２９】
前記官能基が酸素を還元し得る、請求項５に記載の方法。
【請求項３０】
前記官能基が、酸化還元活性種と会合し得、そして／または前記酸化還元活性種を貯蔵し得る、請求項５〜２９のいずれか一項に記載の方法。
【請求項３１】
前記酸化還元種がリチウムである、請求項３０に記載の方法。
【手続補正２】
【補正対象書類名】明細書
【補正対象項目名】００１７
【補正方法】変更
【補正の内容】
【００１７】
【化６】
2014505580.tif 000003
［式中、
Ｒ１、Ｒ２およびＲ３は、同じであるかまたは異なっており、それぞれが独立に、水素または置換基（この置換基は必要に応じて置換されている）であり、かつ
Ｇは、グラフェンまたはグラフェン酸化物の炭素原子を含む］
を有する少なくとも１個の官能基を含む該グラフェンまたはグラフェン酸化物分子と、一酸化炭素を含む試料を接触させるステップを含む。
本発明の好ましい実施形態において、例えば以下の項目が提供される。
（項目１）
気相試料中の種の量を低減させるための方法であって、
第一の濃度の前記種を含有する気相試料を、置換グラフェン分子または置換グラフェン酸化物分子を含む組成物と接触させて、その結果、前記気相試料が前記組成物との接触後に第二の低下した濃度の前記種を有するステップを含む方法。
（項目２）
試料中の種の量を低減させるための方法であって、
前記方法は、第一の濃度の前記種を含有する試料を、グラフェンまたはグラフェン酸化物を含む組成物と接触させて、その結果、前記試料が前記組成物との接触後に第二の低下した濃度の種を有するステップを含み、
ここで、前記グラフェンまたはグラフェン酸化物が、構造：
【化１５】
2014505580.tif 000004
［式中、Ｒ１、Ｒ２およびＲ３は、同じであるかまたは異なっており、それぞれが必要に応じて置換されている置換基であり、かつ
Ｇは、前記グラフェンまたはグラフェン酸化物の炭素原子である］
を有する少なくとも１個の官能基を含む、方法。
（項目３）
前記組成物が、複数の前記グラフェンまたはグラフェン酸化物分子を含む、前記項目のいずれかに記載の方法。
（項目４）
前記組成物が電子供与基を含み、かつ前記種が電子求引基を含む、前記項目のいずれかに記載の方法。
（項目５）
前記種が毒素または汚染物である、前記項目のいずれかに記載の方法。
（項目６）
前記種が一酸化炭素である、前記項目のいずれかに記載の方法。
（項目７）
前記種が重金属である、前記項目のいずれかに記載の方法。
（項目８）
前記試料がタバコの煙を含む、前記項目のいずれかに記載の方法。
（項目９）
前記組成物がタバコ中に配置されている、前記項目のいずれかに記載の方法。
（項目１０）
前記組成物が、グラフェンまたはグラフェン酸化物と会合している少なくとも１個の官能基を含む前記グラフェンまたはグラフェン酸化物を含み、前記少なくとも１個の官能基は構造：
【化１６】
2014505580.tif 000005
［式中、Ｒ１、Ｒ２およびＲ３は、同じであるかまたは異なっており、それぞれが独立に、必要に応じて置換されている置換基であり、かつ
Ｇは、前記グラフェンまたはグラフェン酸化物の炭素原子である］、
を有する、前記項目のいずれかに記載の方法。
（項目１１）
Ｒ１およびＲ２が、同じであるかまたは異なっており、それぞれが独立に、水素、アルキル、ヘテロアルキル、シクロアルキル、アルケニルまたはアリールであり、それらのうちのいずれかが必要に応じて置換されている、
前記項目のいずれかに記載の方法。
（項目１２）
Ｒ１およびＲ２がいずれも水素である、前記項目のいずれかに記載の方法。
（項目１３）
Ｒ３が、水素、アルキル、アリール、アルケニル、シクロアルキル、ヘテロアルキル、ヘテロアリール、Ｎ（Ｒ４）２、ＳＲ４、Ｓｉ（Ｒ４）２、ＯＲ４またはＯＭであり、それらのうちのいずれかが必要に応じて置換されており、
Ｍが金属またはカチオン種であり、かつ
各Ｒ４が、独立に、必要に応じて置換されている置換基である、
前記項目のいずれかに記載の方法。
（項目１４）
Ｒ１、Ｒ２またはＲ３の少なくとも１つがハロアルキルである、前記項目のいずれかに記載の方法。
（項目１５）
Ｒ３がＯＲ４またはＮ（Ｒ４）２であり、かつ各Ｒ４が、独立に、必要に応じて置換されている置換基である、前記項目のいずれかに記載の方法。
（項目１６）
各Ｒ４が同じであるかまたは異なっており、それぞれが独立に、水素、アルキル、シクロアルキル、ハロアルキル、ヘテロアルキル、アリール、ヘテロアリールまたはＯＨであり、それらのうちのいずれかが必要に応じて置換されている、前記項目のいずれかに記載の方法。
（項目１７）
Ｒ４が、非置換もしくは置換アリールまたは非置換もしくは置換シクロアルキルで置換されているアルキルである、前記項目のいずれかに記載の方法。
（項目１８）
Ｒ３が、Ｎ（ＣＨ３）２、ＮＨ−フェニル、ＮＨ−ビフェニル、ＮＨＣＨ２（Ｃ≡ＣＨ）、ＯＨ、ＯＭｅ、ＯＥｔ、ＯＭ［式中、Ｍは金属イオンである］、ＯＣＨ２（Ｃ≡ＣＨ）、ＯＣＨ２ＣＨ２（２−ブロモフェニル）、ＯＣＨ２（アダマンチル）またはＯＣＨ２Ｃ（４−クロロフェニル）３である、前記項目のいずれかに記載の方法。
（項目１９）
Ｒ１およびＲ２がいずれも水素であり、かつ
Ｒ３がＯＨである、前記項目のいずれかに記載の方法。
（項目２０）
Ｒ１およびＲ２がいずれも水素であり、かつ
Ｒ３がＯＭｅまたはＯＥｔである、前記項目のいずれかに記載の方法。
（項目２１）
前記グラフェンまたはグラフェン酸化物の官能基の数と炭素原子の数との比が、少なくとも約１対５０、または少なくとも約１対２５、または少なくとも約１対２０、または少なくとも約１対１５、または少なくとも１対１０、または少なくとも約１対５である、前記項目のいずれかに記載の方法。
（項目２２）
前記官能基が金属イオンと結合し得る、前記項目のいずれかに記載の方法。
（項目２３）
前記官能基が、正または負に帯電した基を含む、前記項目のいずれかに記載の方法。
（項目２４）
前記官能基が、電気化学的に活性な種を含む、前記項目のいずれかに記載の方法。
（項目２５）
前記電気化学的に活性な種が、伝導性ポリマー、金属、半金属または半導体である、項目２４に記載の方法。
（項目２６）
前記電気化学的に活性な種がアミドを含む、項目２４に記載の方法。
（項目２７）
前記官能基が一酸化炭素を酸化し得る、前記項目のいずれかに記載の方法。
（項目２８）
前記官能基が酸素を還元し得る、前記項目のいずれかに記載の方法。
（項目２９）
前記官能基が酸化窒素を還元し得る、前記項目のいずれかに記載の方法。
（項目３０）
前記官能基が、酸化還元活性種と会合し得、そして／または前記酸化還元活性種を貯蔵し得る、前記項目のいずれかに記載の方法。
（項目３１）
前記酸化還元種がリチウムである、項目３０に記載の方法。
（項目３２）
前記組成物が、バッテリーのアノードまたはカソード中に配置されている、前記項目のいずれかに記載の方法。
（項目３３）
一酸化炭素の酸化のための触媒組成物であって、
構造：
【化１７】
2014505580.tif 000006
［式中、
Ｒ１、Ｒ２およびＲ３は、同じであるかまたは異なっており、それぞれが独立に、必要に応じて置換されている置換基であり、ここで、Ｒ１、Ｒ２およびＲ３の少なくとも１つは、一酸化炭素を二酸化炭素に酸化し得る触媒性部分を含み、かつ
Ｇは、グラフェンまたはグラフェン酸化物の炭素原子である］
を有する少なくとも１個の官能基を含む前記グラフェンまたはグラフェン酸化物分子を含む、触媒組成物。
（項目３４）
前記触媒性部分が金属を含む、項目３３に記載の触媒組成物。
（項目３５）
前記触媒性部分が、Ｐｄ、Ｆｅ、Ｃｅ、Ａｌ、ＣｕもしくはＴｉ、またはそれらの酸化物を含む、項目３３に記載の触媒組成物。
（項目３６）
前記触媒性部分が、Ｐｄナノクラスター、Ｆｅ２Ｏ３、ＦｅＯＯＨまたはＴｉＯＯＨを含む、項目３３に記載の触媒組成物。
（項目３７）
一酸化炭素の酸化のための方法であって、
一酸化炭素を含む試料を、構造：
【化１８】
2014505580.tif 000007
［式中、
Ｒ１、Ｒ２およびＲ３は、同じであるかまたは異なっており、それぞれが独立に、水素または置換基（この置換基は必要に応じて置換されている）であり、かつ
Ｇは、グラフェンまたはグラフェン酸化物の炭素原子である］
を有する少なくとも１個の官能基を含む前記グラフェンまたはグラフェン酸化物分子と接触させるステップを含む方法。
（項目３８）
前記官能基が、一酸化炭素を酸化し得る触媒性部分を含む、前記項目のいずれかに記載の方法。
（項目３９）
前記触媒性部分が金属を含む、前記項目のいずれかに記載の方法。
（項目４０）
前記触媒性部分が、Ｐｄ、Ｆｅ、Ｃｅ、Ａｌ、ＣｕもしくはＴｉ、またはそれらの酸化物を含む、前記項目のいずれかに記載の方法。
（項目４１）
前記触媒性部分が、Ｐｄナノクラスター、Ｆｅ２Ｏ３、ＦｅＯＯＨまたはＴｉＯＯＨを含む、前記項目のいずれかに記載の方法。
（項目４２）
前記試料がタバコの煙を含む、前記項目のいずれかに記載の方法。
（項目４３）
前記組成物がタバコ中に配置されている、前記項目のいずれかに記載の方法。
（項目４４）
Ｒ１およびＲ２が、同じであるかまたは異なっており、それぞれが独立に、水素、アルキル、ヘテロアルキル、シクロアルキル、アルケニルまたはアリールであり、それらのうちのいずれかが必要に応じて置換されている、
前記項目のいずれかに記載の方法。
（項目４５）
Ｒ１およびＲ２がいずれも水素である、前記項目のいずれかに記載の方法。
（項目４６）
Ｒ３が、水素、アルキル、アリール、アルケニル、シクロアルキル、ヘテロアルキル、ヘテロアリール、Ｎ（Ｒ４）２、ＳＲ４、Ｓｉ（Ｒ４）２、ＯＲ４またはＯＭであり、それらのうちのいずれかが必要に応じて置換されており、
Ｍが金属またはカチオン種であり、かつ
各Ｒ４が、独立に、必要に応じて置換されている置換基である、
前記項目のいずれかに記載の方法。
（項目４７）
Ｒ１、Ｒ２またはＲ３の少なくとも１つがハロアルキルである、前記項目のいずれかに記載の方法。
（項目４８）
Ｒ３がＯＲ４またはＮ（Ｒ４）２であり、かつ各Ｒ４が、独立に、必要に応じて置換されている置換基である、前記項目のいずれかに記載の方法。
（項目４９）
各Ｒ４が同じであるかまたは異なっており、それぞれが独立に、水素、アルキル、シクロアルキル、ハロアルキル、ヘテロアルキル、アリール、ヘテロアリールまたはＯＨであり、それらのうちのいずれかが必要に応じて置換されている、前記項目のいずれかに記載の方法。
（項目５０）
Ｒ４が、非置換もしくは置換アリールまたは非置換もしくは置換シクロアルキルで置換されているアルキルである、前記項目のいずれかに記載の方法。
（項目５１）
Ｒ３が、Ｎ（ＣＨ３）２、ＮＨ−フェニル、ＮＨ−ビフェニル、ＮＨＣＨ２（Ｃ≡ＣＨ）、ＯＨ、ＯＭｅ、ＯＥｔ、ＯＭ［式中、Ｍは金属イオンである］、ＯＣＨ２（Ｃ≡ＣＨ）、ＯＣＨ２ＣＨ２（２−ブロモフェニル）、ＯＣＨ２（アダマンチル）またはＯＣＨ２Ｃ（４−クロロフェニル）３である、前記項目のいずれかに記載の方法。
（項目５２）
Ｒ１およびＲ２がいずれも水素であり、かつ
Ｒ３がＯＨである、前記項目のいずれかに記載の方法。
（項目５３）
Ｒ１およびＲ２がいずれも水素であり、かつ
Ｒ３がＯＭｅまたはＯＥｔである、前記項目のいずれかに記載の方法。
（項目５４）
前記グラフェンまたはグラフェン酸化物の官能基の数と炭素原子の数との比が、少なくとも約１対５０、または少なくとも約１対２５、または少なくとも約１対２０、または少なくとも約１対１５、または少なくとも１対１０、または少なくとも約１対５である、前記項目のいずれかに記載の方法。
（項目５５）
前記官能基が金属イオンと結合し得る、前記項目のいずれかに記載の方法。
（項目５６）
前記官能基が、正または負に帯電した基を含む、前記項目のいずれかに記載の方法。
（項目５７）
前記官能基が、電気化学的に活性な種を含む、前記項目のいずれかに記載の方法。
（項目５８）
前記電気化学的に活性な種が、伝導性ポリマー、金属、半金属または半導体である、項目５７に記載の方法。
（項目５９）
前記電気化学的に活性な種がアミドを含む、項目５７に記載の方法。
（項目６０）
前記官能基が一酸化炭素を酸化し得る、前記項目のいずれかに記載の方法。
（項目６１）
前記官能基が酸素を還元し得る、前記項目のいずれかに記載の方法。
（項目６２）
前記官能基が、酸化還元活性種と会合し得、そして／または前記酸化還元活性種を貯蔵し得る、前記項目のいずれかに記載の方法。
（項目６３）
前記酸化還元種がリチウムである、項目６２に記載の方法。